(57)【要約】【課題】所定のタイミングで電解促進錠剤を上方に移動させ、固着した電解促進錠剤を外すことを目的とする。【解決手段】深皿形状のケース２１と、ケース２１内に設けたモータ部２４と、モータ部２４によって水平方向に回転する回転体２３と、回転体２３の上面に多数の電解促進錠剤２０を置きモータ部２４によって回転体２３を回転させ、回転体２３が所定の位置まで回転すると電解促進錠剤２０が落下する落下機構と、回転体２３が回転すると一部の電解促進錠剤２０を移動させる移動部材３３と、モータ部２４を制御する制御部３８とを備え、制御部３８は、所定のタイミングで電解促進錠剤２０を落下させずに回転体２３を回転させることを特徴とする電解促進錠剤投入装置。【選択図】図６
2018167185.tif 000002
【特許請求の範囲】
【請求項１】
深皿形状のケースと、
前記ケース内に設けたモータ部と、
前記モータ部によって水平方向に回転する回転体と、
前記回転体の上面に多数の電解促進錠剤を置き前記モータ部によって前記回転体を回転させ、前記回転体が所定の位置まで回転すると前記電解促進錠剤が落下する落下機構と、
前記回転体が回転すると一部の前記電解促進錠剤を移動させる移動部材と、
前記モータ部を制御する制御部とを備え、
前記制御部は、所定のタイミングで前記電解促進錠剤を落下させずに前記回転体を回転させることを特徴とする電解促進錠剤投入装置。
【請求項２】
前記制御部は、前記回転体を時計回りと反時計回りとに回転させることを特徴とする請求項１に記載の電解促進錠剤投入装置。
【請求項３】
前記制御部は、前記回転体を一定時間毎に回転させることを特徴とする請求項１または２に記載の電解促進錠剤投入装置。
【請求項４】
湿度を測定する湿度測定部を備え、
前記電解促進錠剤は塩を有し、
前記制御部は、前記湿度測定部が前記臨界湿度以上の湿度を検知した場合には前記回転体を回転させないことを特徴とする請求項１から３のいずれかに記載の電解促進錠剤投入装置。
【請求項５】
湿度を測定する湿度測定部を備え、
前記電解促進錠剤は塩を有し、
前記制御部は、前記湿度測定部が測定した湿度が前記電解促進錠剤の臨界湿度以上を検知した後に、前記電解促進錠剤の前記臨界湿度未満になった場合に前記回転体を回転させることを特徴とする請求項１から３のいずれかに記載の電解促進錠剤投入装置。
【請求項６】
湿度を測定する湿度測定部を備え、
前記電解促進錠剤は塩を有し、
前記制御部は、前記湿度測定部が測定した湿度が前記電解促進錠剤の臨界湿度以上を検知した後に、前記電解促進錠剤の前記臨界湿度未満になり、所定時間経過後に前記回転体を回転させることを特徴とする請求項１から３のいずれかに記載の電解促進錠剤投入装置。
【請求項７】
湿度を測定する湿度測定部を備え、
前記電解促進錠剤は塩を有し、
前記制御部は、前記湿度測定部が測定した湿度が前記電解促進錠剤の臨界湿度以上を検知した後に、前記電解促進錠剤の前記臨界湿度より低い所定湿度未満になった場合に前記回転体を回転させることを特徴とする請求項１から３のいずれかに記載の電解促進錠剤投入装置。
【請求項８】
前記落下機構は、
前記ケースの底面における周縁部に設けた孔と、
前記回転体に設けた前記孔と対向する切欠きとを備え、
前記回転体の上面に多数の前記電解促進錠剤を置き前記モータ部によって前記回転体を回転させると、前記孔と前記切欠きとが対向したときに前記電解促進錠剤が、前記孔と前記切欠きとを介して落下することを特徴とする請求項１から７のいずれかに記載の電解促進錠剤投入装置。
【請求項９】
前記移動部材は、一部の前記電解促進錠剤の前記回転体の回転方向への移動を抑制する第１の突起と、前記第１の突起によって移動を抑制された前記電解促進錠剤の一部を上方へ移動させる第２の突起であることを特徴とする請求項１から８のいずれかに記載の電解促進錠剤投入装置。
【発明の詳細な説明】
【技術分野】
【０００１】
本発明は、電解促進錠剤を投入する電解促進錠剤投入装置に関する。
【背景技術】
【０００２】
従来、この種の電解促進錠剤投入装置では、カートリッジ部に電解促進錠剤を備えたものが知られている（例えば、特許文献１参照）。
【０００３】
以下、その電解促進錠剤投入装置について図１４を参照しながら説明する。
【０００４】
図１４に示すように、水槽１０２に電解促進錠剤１０３を投入する投入機構部１０４を有していた。投入機構部１０４は、電解促進錠剤１０３を内包したケース部１０５と、可動案内部材部１０６と、可動部材１０７とを備えている。ケース部１０５から電解促進錠剤１０３が、可動案内部材部１０６の空洞部１０８に供給され、この空洞部１０８に供給された電解促進錠剤１０３は、空洞部１０８を摺動する可動部材１０７によって、水槽１０２へ押し出される。
【先行技術文献】
【特許文献】
【０００５】
【特許文献１】特開２０１３−５２３５５号公報
【発明の概要】
【発明が解決しようとする課題】
【０００６】
このような従来の電解促進錠剤投入装置においては、電解促進錠剤が、湿度の変化によって潮解した後に再び固まると、電解促進錠剤と電解促進錠剤を内包するケース部とが固着したり、隣り合った電解促進錠剤が固着した状態となり、電解促進錠剤投入装置から落下し難いという課題を有していた。
【０００７】
そこで本発明は、上記従来の課題を解決するものであり、電解促進錠剤が、湿度の変化によって潮解した後に再び固まり、電解促進錠剤と電解促進錠剤を内包するケース部とが固着したり、隣り合った電解促進錠剤が固着した場合にも、電解促進錠剤投入装置から電解促進錠剤をスムーズに落下できる電解促進錠剤投入装置を提供することを目的とする。
【課題を解決するための手段】
【０００８】
そして、この目的を達成するために、本発明は、深皿形状のケースと、前記ケース内に設けたモータ部と、前記モータ部によって水平方向に回転する回転体と、前記回転体の上面に多数の電解促進錠剤を置き前記モータ部によって前記回転体を回転させ、前記回転体が所定の位置まで回転すると前記電解促進錠剤が落下する落下機構と、前記回転体が回転すると一部の前記電解促進錠剤を移動させる移動部材と、前記モータ部を制御する制御部とを備え、前記制御部は、所定のタイミングで前記電解促進錠剤を落下させずに前記回転体を回転させることを特徴としたものであり、これにより所期の目的を達成するものである。
【発明の効果】
【０００９】
本発明によれば、深皿形状のケースと、前記ケース内に設けたモータ部と、前記モータ部によって水平方向に回転する回転体と、前記回転体の上面に多数の電解促進錠剤を置き前記モータ部によって前記回転体を回転させ、前記回転体が所定の位置まで回転すると前記電解促進錠剤が落下する落下機構と、前記回転体が回転すると一部の前記電解促進錠剤を移動させる移動部材と、前記モータ部を制御する制御部とを備え、前記制御部は、所定のタイミングで前記電解促進錠剤を落下させずに前記回転体を回転させる。電解促進錠剤は、湿度の変化によって潮解した後に再び固まると、電解促進錠剤と電解促進錠剤を内包するケース部とが固着したり、隣り合った電解促進錠剤が固着した状態となる。この状態で、制御部が、所定のタイミングで前記電解促進錠剤を落下させずに前記回転体を回転させると、移動部材によって一部の電解促進錠剤が移動し、固着した電解促進錠剤が外れるので、電解促進錠剤は、落下機構で詰まることなく、落下させることができる。
【図面の簡単な説明】
【００１０】
【図１】本発明の実施の形態１の電解促進錠剤投入装置を備えた空気浄化装置を示す斜視図
【図２】同電解促進錠剤投入装置を備えた空気浄化装置を示す斜視図
【図３】同電解促進錠剤投入装置を備えた空気浄化装置を示す展開図
【図４】同電解促進錠剤投入装置を備えた空気浄化装置を示す展開図
【図５】同電解促進錠剤投入装置の斜視図
【図６】同電解促進錠剤投入装置の分解斜視図
【図７】同電解促進錠剤投入装置のケース内を示す斜視図
【図８】同電解促進錠剤投入装置のケースの底面を示す斜視図
【図９】同電解促進錠剤投入装置のケースの孔と回転体の切欠きの拡大斜視図
【図１０】同電解促進錠剤投入装置のケースの孔と回転体の切欠きの拡大斜視図
【図１１】同電解促進錠剤投入装置のケース内の回転体を示す斜視図
【図１２】同電解促進錠剤投入装置のケース内の回転体を示す斜視図
【図１３】同電解促進錠剤投入装置の機能構成を示す図
【図１４】従来の電解促進錠剤投入装置を示す斜視図
【発明を実施するための形態】
【００１１】
以下、本発明の実施の形態について図面を参照しながら説明する。
【００１２】
（実施の形態１）
図１は、本発明の実施の形態１の電解促進錠剤投入装置を備えた空気浄化装置の斜視図であり、空気浄化装置を前面側から見た図である。図２は、本発明の実施の形態１の電解促進錠剤投入装置を備えた空気浄化装置の斜視図であり、パネルを開いて空気浄化装置を前面側から見た図である。
【００１３】
図１、２に示すように、本実施形態の空気浄化装置においては、略箱形状の本体ケース１を備え、本体ケース１の両側面には略四角形状の吸気口２を有している。本体ケース１の前面側から見て、右側の側面（本体ケース１の一方側の側面）である第１の本体側面１Ａには、開閉可能なパネル３を備えている。パネル３を開くと、縦長四角形状の開口４が現れる。開口４から後述する本体ケース１内の空気浄化部５を取り出すことが出来る。本体ケース１の一方側の側面の吸気口２は、パネル３に設けられている。本体ケース１の天面には、開閉式の吹出口６を備えている。図１、２では、吹出口６は、閉じた状態である。
【００１４】
図３は、本発明の実施の形態１の電解促進錠剤投入装置を備えた空気浄化装置の断面図であり、空気浄化装置を右側から見た図である。図４は、本発明の実施の形態１の電解促進錠剤投入装置を備えた空気浄化装置の断面図であり、空気浄化装置における右側から見た図である。
【００１５】
図２、図３、図４に示すように、本体ケース１内には、送風機７と、空気浄化部５と、風路８と、を備えている。
【００１６】
送風機７は、本体ケース１の中央部に設けられ、モータ部９と、モータ部９により回転するファン部１０と、それらを囲むスクロール形状のケーシング部１１とを備えている。モータ部９は、ケーシング部１１に固定されている。
【００１７】
ファン部１０は、シロッコファンで、モータ部９から水平方向に延びた回転軸９ａに固定され、モータ部９は、ケーシング部１１に固定されている。モータ部９の回転軸９ａは、本体ケース１の前面側から背面側に延びている。ケーシング部１１は、ケーシング部１１の本体ケース１における上面側に吐出口１２を備え、ケーシング部１１の本体ケース１における背面側に吸込口１３を有している。
【００１８】
空気浄化部５は、貯水容器１４と、タンク部材１５と、フィルター部分１６と、電解ユニット１７と、電解促進錠剤投入装置１８とを備えている。
【００１９】
貯水容器１４は、天面を開口した箱形状をしており、水を貯水できる構造となっており、本体ケース１の下部に配置され、本体ケース１から水平方向にスライドして着脱可能となっている。貯水容器１４は、タンク部材１５から供給される水を貯水する。
【００２０】
タンク部材１５は、本体ケース１内部の一方側の側面に設置され貯水容器１４から着脱可能な構造となっている。タンク部材１５は、貯水容器１４の底面に設けられたタンク保持部１４ａに装着されている。タンク部材１５は、水を貯水するタンク１５ａと、タンクの開口（図示せず）に設けられた蓋１５ｂとを備えている。蓋１５ｂの中央には、開閉手段（図示せず）が設けられており、この開閉手段が開くと、タンク１５ａ内の水が、貯水容器１４へ供給される。具体的には、タンク１５ａの開口を下向きにして、タンク部材１５を貯水容器１４のタンク保持部１４ａに取り付けると、タンク保持部１４ａによって開閉手段が開く。つまり、タンク部材１５に水を入れてタンク保持部１４ａに取り付けると、開閉手段が開いて貯水容器１４に給水され、貯水容器１４内に水が溜まる。貯水容器１４内の水位が上昇して蓋のところまで到達するとタンク部材１５の開口が水封されるので給水が停止し、タンク部材１５の内部には水が残り、貯水容器１４内の水位が下がった場合に都度、タンク１５ａ内部の水が貯水容器１４に給水される。即ち、貯水容器１４内の水位は一定に保たれる。
【００２１】
フィルター部分１６は、貯水容器１４に貯水された水と、送風機７によって本体ケース１内に吸込まれた室内空気とを接触させる部材である。円筒状に構成され、円周部分に空気が流通可能な孔を備えたフィルター１６ａを配置し、その一端が貯水容器１４の水に浸漬するように、フィルター１６ａの中心軸を回転中心として貯水容器１４に回転自在に内蔵されている。そして、駆動部（図示しない）による回転され、水と室内空気を連続的に接触させる構造となっている。
【００２２】
電解ユニット１７、水槽水に第１の電極、第２の電極（図示せず）を浸らせ、これら第１の電極と第２の電極とに電圧を印加し、電解促進錠剤投入装置１８によって投入される電解促進錠剤２０が入った貯水容器１４内の水を電気化学的に処理するものである。
【００２３】
風路８は、吸気口２と吹出口６とを連通し、この風路８には、吸気口２から順に、空気浄化部５（貯水容器１４、フィルター部分１６）、送風機７、吹出口６を備えている。モータ部９によってファン部１０が回転すると、吸気口２から風路８内に入った外部の空気は、順に、フィルター１６ａ、送風機７、吹出口６を介して、吹き出される。
【００２４】
図５は、本発明の実施の形態１の電解促進錠剤投入装置の斜視図である。図６は、本発明の実施の形態１の電解促進錠剤投入装置の分解斜視図であり、ケースの内部が見えるようにケースの一部を切り欠いた図である。図７は、本発明の実施の形態１の電解促進錠剤投入装置のケース内を示す斜視図であり、回転体を外した状態である。図８は、本発明の実施の形態１の電解促進錠剤投入装置のケースの底面を示す斜視図であり、電解促進錠剤投入装置における下方から見た斜視図である。
【００２５】
図５と図６と図７と図８に示すように、電解促進錠剤投入装置１８は、ケース２１と、ケースカバー２２と、回転体２３と、モータ部２４と、を有している。
【００２６】
ケース２１は、上方が開口した円形の深皿形状であり、上端部には、下方が開口した椀形状のケースカバー２２が着脱可能である。ケース２１内には、回転体２３を備え、ケースの下方には、モータ部２４を備えている。モータ部２４は、鉛直方向を回転軸方向として、ケース２１内で回転体２３を回転させる。ケース２１の底面には、軸受孔２５と、孔２６とを有している。軸受孔２５は、後述する回転体２３の回転軸２９が入る孔であり、孔２６は、電解促進錠剤２０が通過する孔である。孔２６には、孔２６の開口縁から下方に延びたガイド筒２７を設けている。
【００２７】
回転体２３は、中央部が上方に凸形状の円板である凸面部２８と、凸面部２８の中央下面から下方に延びた円筒形状の回転軸２９とを有している。凸面部２８と回転軸２９とは、樹脂材料によって一体に形成されている。凸面部２８の大きさは、ケースより一回り小さい大きさであり、凸面部２８の外周とケース２１の内面との間には僅かに隙間を有している。凸面部２８の周縁部には、切欠き３０を有している。切欠き３０は、孔２６と対向し、電解促進錠剤２０が通過する。回転軸２９は、ケース２１の底面の軸受孔２５を介して、ケース２１の下方に突出している。なお、ケースの底面における周縁部に設けた孔と、回転体に設けた孔と対向する切欠きとが、落下機構である。
【００２８】
モータ部２４は、モータ部２４の上面から上方に延びた円柱形状のモータ回転軸３１を有している。モータ回転軸３１の表面は、ギザ状にローレット加工されている。回転体２３の回転軸２９の内面も、モータ回転軸が３１嵌るようにギザ状に加工されている。回転体２３の回転軸２９にモータ回転軸３１を嵌め、モータ回転軸３１を回転させると、回転体２３も回転する。モータ部２４は、ケース２１の底面から下方に延びた筒形状のモータカバー３２によって覆われている。
【００２９】
図９は、本発明の実施の形態１の電解促進錠剤投入装置のケースの孔と回転体の切欠きの拡大斜視図であり、電解促進錠剤が回転体の切欠きに入った図である。図１０は、本発明の実施の形態１の電解促進錠剤投入装置のケースの孔と回転体の切欠きの拡大斜視図であり、電解促進錠剤が回転体の切欠きとケースの孔とを介して落ちる図である。
【００３０】
以上の構成において、電解促進錠剤投入装置１８における電解促進錠剤２０の投入動作を説明する。ケース２１からケースカバー２２を外し、ケース２１内に電解促進錠剤２０を入れると、回転体２３における凸面部２８の上面に、電解促進錠剤２０が配置される。凸面部２８は、中央部が上方に凸形状の曲面形状の円板であるので、多数の電解促進錠剤２０は、凸面部２８の上面に沿って積み重なった状態となる。電解促進錠剤２０を投入する場合には、モータ部２４によって回転体２３を回転させる。これにより、電解促進錠剤２０が一つ、切欠き３０に入り込む。（図９参照）更に回転体２３を回転させると、切欠き３０に入り込んだ電解促進錠剤２０は、切欠き３０と孔２６とが対向したときに、切欠き３０と、孔２６と、ガイド筒２７とを介して、貯水容器１４に落下する。（図１０参照）
一方、次に電解促進錠剤２０を投入するまでの間に、湿度が高くなった後に、湿度が低くなると、電解促進錠剤２０は塩を有しており、電解促進錠剤２０が潮解した後に再び固まり、電解促進錠剤２０と電解促進錠剤２０を内包するケース２１とが固着したり、隣り合った電解促進錠剤２０が固着した状態となる場合がある。
【００３１】
図１１は、本発明の実施の形態１の電解促進錠剤投入装置のケース内の回転体を示す斜視図であり、第１の突起によって電解促進錠剤の移動が抑制された図である。図１２は、本発明の実施の形態１の電解促進錠剤投入装置のケース内の回転体を示す斜視図であり、第１の突起によって電解促進錠剤の移動が抑制され、第２の突起によって電解促進錠剤が上方に移動した図である。
【００３２】
図１１に示すように、電解促進錠剤投入装置１８は、ケース２１内で、回転体２３が回転するときに、一部の電解促進錠剤２０を上方に移動させる移動部材３３を備えている。この移動部材３３によって、一部の電解促進錠剤２０を上方に移動させると、これらの移動する電解促進錠剤２０の上方に積み重なった電解促進錠剤２０も上方へ移動する。これにより、湿度の変化によって潮解した後に再び固まり、電解促進錠剤２０を内包するケース２１や、隣り合った電解促進錠剤２０に固着した電解促進錠剤２０が外れるので、電解促進錠剤２０を、孔２６と切欠き３０とで詰まることなく、落下させることができる。
【００３３】
具体的には、移動部材３３は、一部の電解促進錠剤２０の回転体２３の回転方向（矢印の方向）への移動を抑制する第１の突起３４と、第１の突起３４によって移動を抑制された電解促進錠剤２０を上方へ移動させる第２の突起３５である。第１の突起３４は、ケース２１内から回転体２３の上面に沿うように突出し、第２の突起３５は、回転体２３の上面から上方に突出している。
【００３４】
これにより、多数の電解促進錠剤２０が、凸面部２８の上面に沿って積み重なった状態で、回転体２３が回転すると電解促進錠剤２０も回転するが、第１の突起３４を備えているので、第１の突起３４に当たった電解促進錠剤２０や、この電解促進錠剤２０の近傍の一部の電解促進錠剤２０は、移動が抑制される（図１１参照）。この状態で、回転体２３が更に回転すると、第１の突起３４によって移動を抑制された電解促進錠剤２０の一部の下を第２の突起３５が移動する。このときに、第１の突起３４によって移動を抑制された電解促進錠剤２０の一部は、第２の突起３５によって直接押し上げられ、上方へ移動する（図１２参照）。そして、第２の突起３５によって直接押し上げられる電解促進錠剤２０の上方に積み重なった電解促進錠剤２０も上方へ移動する。
【００３５】
図１１、１２に示すように、第１の突起３４は、ケース２１内から、孔２６と切欠き３０の上方に突出し、第２の突起３５は、回転体２３の周縁部から上方に突出している。第１の突起３４は、ケース２１の側面から内方に突出している。
【００３６】
これにより、第１の突起３４と第２の突起３５とは、回転体２３における周縁部に配置されているので、電解促進錠剤２０の一部が第２の突起３５と接触し、電解促進錠剤２０の一部が第２の突起３５によって直接押し上げられ、上方へ移動する電解促進錠剤２０の上方に積み重なった電解促進錠剤２０の数が多くなる。結果として、上方へ移動する電解促進錠剤２０の数も多くなり、固着した電解促進錠剤２０がより外れ易くなる。
【００３７】
また、凸面部２８は、下方が開放した椀形状である椀部分３７と、椀部分３７の外周縁から外方に延びた環状の平面部分３６とを有している。回転体２３の凸面部２８の周縁部である平面部分３６には、切欠き３０と第２の突起３５とを備えている。電解促進錠剤２０は円盤形状であり、平面部分３６の幅は、電解促進錠剤２０の厚みより僅かに大きい。椀部分３７の高さ寸法は、電解促進錠剤２０の直径より大きい。
【００３８】
これにより、電解促進錠剤２０は、平面部分３６に並び易くなる。電解促進錠剤２０は、平面部分３６の上面に、凸面部２８の椀部分３７とケース２１側面との間に厚み方向が挟まれるように並ぶ。すなわち、電解促進錠剤２０は、同じ向きに並ぶので、回転体２３の周縁部に環状に隙間無く並び易くなる。回転体２３が回転しても、これらの環状に並んだ電解促進錠剤２０の一つが、第１の突起３４によって移動を抑制されると、その他の環状に並んでいる電解促進錠剤２０も移動を抑制される。なお、第１の突起３４は、ケース２１側面から、孔２６と切欠き３０の上方に突出し、平面部分３６上の電解促進錠剤２０は、第１の突起３４と、電解促進錠剤２０の直径方向における中央部で接触する。この状態で、回転体２３が回転すると、第２の突起３５が、移動を抑制され環状に隙間無く並んだ電解促進錠剤２０の下を移動するので、第２の突起３５によって上方へ移動する電解促進錠剤２０が増える。また、この環状に並んだ電解促進錠剤２０は、回転体２３における凸面部２８の上面に配置された多数の電解促進錠剤２０の最も下方に配置されることになる。結果として、これらの電解促進錠剤２０の上方に積み重なった電解促進錠剤２０の数が多くなるので、上方へ移動する電解促進錠剤２０の数も多くなり、固着した電解促進錠剤２０がより外れ易くなる。
【００３９】
図１３は、本発明の実施の形態１の電解促進錠剤投入装置のケース内の回転体を示す斜視図であり、第１の突起によって電解促進錠剤の移動が抑制された図である。
【００４０】
本実施形態における特徴は、電解促進錠剤投入装置１８のモータ部２４を制御する制御部３８を備え、制御部３８は、所定のタイミングで電解促進錠剤２０を落下させずに回転体２３を回転させる、つまり孔２６と切欠き３０を対向させないで回転体２３を回転させる点である。具体的には、制御部３８は、時間を測定するタイマー部３９を有している。制御部３８は、タイマー部３９の測定時間によって、回転体２３を所定のタイミングで時計回りと反時計回りとに回転させる。これにより、回転体２３が回転するときに一部の電解促進錠剤２０を上方に移動させると、固着した電解促進錠剤２０が外れるので、電解促進錠剤２０を孔２６と切欠き３０とで詰まることなく、落下させることができる。
【００４１】
また、制御部３８は、タイマー部３９の測定時間によって、回転体２３を一定時間毎に回転させる。これにより、一定時間毎に、一部の電解促進錠剤２０を上方に移動させることができ、固着した電解促進錠剤２０が更に外れ易くなる。
【００４２】
また、本体ケース１には、湿度を測定する湿度測定部４０を備えている。電解促進錠剤２０は塩を有しており、電解促進錠剤２０が臨界湿度以上の湿度空間にさらされると、電解促進錠剤２０が潮解する場合がある。そこで、制御部３８は、湿度測定部４０が臨界湿度以上の湿度を検知した場合には回転体を回転させない。なお、臨界湿度は、一例として、相対湿度７０〜８０％である。
【００４３】
これにより、電解促進錠剤２０が、湿度の変化によって潮解しているときに回転体は回転しないので、電解促進錠剤が細かく砕けることを抑制できる。
【００４４】
また、制御部３８は、湿度測定部４０が測定した湿度が電解促進錠剤２０の臨界湿度以上を検知した後に、電解促進錠剤２０の臨界湿度未満になった場合に回転体２３を回転させる。
【００４５】
これにより、電解促進錠剤２０が湿度の変化によって潮解しているときには、回転体２３は回転せず、電解促進錠剤２０が湿度の変化によって潮解し再び固まった後に、回転体２３が回転する。電解促進錠剤２０が、より固まった状態で回転体２３が回転するので、電解促進錠剤２０が細かく砕けることを抑制できる。
【００４６】
また、制御部３８は、湿度測定部４０が測定した湿度が電解促進錠剤２０の臨界湿度以上を検知した後に、電解促進錠剤２０の臨界湿度未満になり、タイマー部３９の測定時間によって所定時間経過後、に回転体２３を回転させる。なお、所定時間とは、６０〜１８０分である。更に良い所定時間は、約１２０分である。
【００４７】
これにより、電解促進錠剤２０が湿度の変化によって潮解しているときには、回転体２３は回転せず、電解促進錠剤２０が湿度の変化によって潮解し再び固まった後に、回転体２３が回転する。電解促進錠剤２０が、より固まった状態で回転体が回転するので、電解促進錠剤２０が細かく砕けることを抑制できる。
【００４８】
（実施の形態２）
以下、本発明の実施の形態２における電解促進錠剤投入装置について図面を参照しながら説明する。なお、実施の形態１の構成と同様の構成を有するものについては、同一符号を付してその説明を省略する。
【００４９】
実施の形態１と相違する点は、制御部３８は、湿度測定部４０が測定した湿度が電解促進錠剤２０の臨界湿度以上を検知した後に、電解促進錠剤２０の臨界湿度より低い所定湿度未満になった場合に回転体２３を回転させることである。なお、所定湿度とは、相対湿度６０〜７０％である。
【００５０】
これにより、電解促進錠剤２０が湿度の変化によって潮解しているときには、回転体２３は回転せず、電解促進錠剤２０が湿度の変化によって潮解し再び固まった後に、回転体２３が回転する。電解促進錠剤２０が、より固まった状態で回転体が回転するので、電解促進錠剤２０が細かく砕けることを抑制できる。
【産業上の利用可能性】
【００５１】
本発明にかかる電解促進錠剤投入装置は、家庭用や事務所用などに使用される空気浄化装置等に有用である。
【符号の説明】
【００５２】
１    本体ケース
２    吸気口
１Ａ    第１の本体側面
３    パネル
４    開口
５    空気浄化部
６    吹出口
７    送風機
８    風路
９    モータ部
９ａ    回転軸
１０    ファン部
１１    ケーシング部
１２    吐出口
１３    吸込口
１４    貯水容器
１４ａ    タンク保持部
１５    タンク部材
１５ａ    タンク
１５ｂ    蓋
１６    フィルター部分
１６ａ    フィルター
１７    電解ユニット
１８    電解促進錠剤投入装置
２０    電解促進錠剤
２１    ケース
２２    ケースカバー
２３    回転体
２４    モータ部
２５    軸受孔
２６    孔
２７    ガイド筒
２８    凸面部
２９    回転軸
３０    切欠き
３１    モータ回転軸
３２    モータカバー
３３    移動部材
３４    第１の突起
３５    第２の突起
３６    平面部分
３７    椀部分
３８    制御部
３９    タイマー部
４０    湿度測定部
【図１】
2018167185.tif 000003
【図２】
2018167185.tif 000004
【図３】
2018167185.tif 000005
【図４】
2018167185.tif 000006
【図５】
2018167185.tif 000007
【図６】
2018167185.tif 000008
【図７】
2018167185.tif 000009
【図８】
2018167185.tif 000010
【図９】
2018167185.tif 000011
【図１０】
2018167185.tif 000012
【図１１】
2018167185.tif 000013
【図１２】
2018167185.tif 000014
【図１３】
2018167185.tif 000015
【図１４】
2018167185.tif 000016